(57)【要約】      （修正有）【課題】舌に圧迫感や掻爬感を残すことなく安全且つ十分に舌苔を掻き取って除去することができると共に、容易且つ安価に製造することができる舌苔除去具を提供する。【解決手段】舌の表面と当接して舌苔を掻き取るための円錐形突起５と円筒形突起６を一定の割合で配列して形成したブラシ部４と、該ブラシ部を挿着すべく円形状の溝を形成したブラシ保持部２と当該ブラシ保持部の後端側にブラシ保持部を把持するための首部７および柄部８を一方向に形成し、更にブラシ保持部の先端側裏面にスキージ部９を形成して構成する。ブラシ部はエラストマ樹脂にて形成し、他のブラシ保持部と首部と柄部およびスキージ部は適度な弾力性を有した軟質樹脂にて一体形成する。前記円錐形突起の直径は約１〜２ｍｍで長さは約３〜６ｍｍ程度とし、円筒形突起の直径は約２〜４ｍｍで長さは約３〜７ｍｍ程度とし、各円錐形突起および円筒形突起の間隔は約０．５〜１．５ｍｍ程度とする。【選択図】図１
0003164878.tif 000002
【実用新案登録請求の範囲】
【請求項１】
舌の表面と当接して舌苔を掻き取るための円錐形突起と円筒形突起を一定の割合で配列して形成したブラシ部と、該ブラシ部を挿着すべく円形状の溝を形成したブラシ保持部と当該ブラシ保持部の後端側にブラシ保持部を把持するための首部および柄部を一方向に形成し、更にブラシ保持部の先端側裏面にスキージ部を形成して構成することを特徴とした、舌苔除去具。
【請求項２】
ブラシ部はエラストマ樹脂にて形成し、他のブラシ保持部と首部と柄部およびスキージ部は適度な弾力性を有した軟質樹脂にて一体形成することを特徴とした、請求項１に記載の舌苔除去具。
【請求項３】
ブラシ部に形成した円錐形突起の直径は約１〜２ｍｍで長さは約３〜６ｍｍ程度とし、円筒形突起の直径は約２〜４ｍｍで長さは約３〜７ｍｍ程度とし、各円錐形突起および円筒形突起の間隔は約０．５〜１．５ｍｍ程度とすることを特徴とした、請求項１および請求項２に記載の舌苔除去具。
【考案の詳細な説明】
【技術分野】
【０００１】  本考案は、舌の表面に付着した白色または褐色の皮膜である舌苔を、安全且つ容易に除去することができる、舌苔除去具の改良に関するものである。
【背景技術】
【０００２】  人間の舌の表面には、舌乳頭（糸状乳頭、茸状乳頭、有郭乳頭、葉状乳頭）と呼ばれる突起があり、特に有郭乳頭と葉状乳頭を取り巻く深い溝の壁には、味覚器である味蕾が発達している。そして、上皮細胞やリンパ球または食物の残りかすなどによって舌の表面には白色や褐色の皮膜が生じることがあり、該皮膜を舌苔と称している。【０００３】  この舌苔をそのままにしておくと、味覚が消失したり口臭や虫歯の原因となるため、ヘラやブラシなどを使用して除去している。前記ヘラの場合、竹や金属若しくは硬質樹脂で形成されているため、時として強く押え過ぎて舌を傷つけてしまうことがあり、安全性に問題点があった。また、舌の奥深い部分では使用し難いという問題点もあった。このため、本願出願人による実用新案登録第３１２１２９４号公報の『舌苔除去具』において、舌の表面と当接して舌苔を掻き取るための円錐形突起を多数形成したブラシ部と当該ブラシ部を冠着するブラシ保持部と首部および柄部にて構成した舌苔除去具を提案した。【０００４】
【特許文献１】実用新案登録第３１２１２９４号
【考案の開示】
【考案が解決しようとする課題】
【０００５】  しかしながら、上記実用新案登録第３１２１２９４号公報の舌苔除去具においては、ブラシ部の材質としてエラストマ樹脂を使用すると共に、舌苔を掻き取るブラシ部の先端が円錐形突起であるため、圧迫感や掻爬感を残したり舌に傷をつけてしまうことはないものの、舌との当接が滑らか過ぎて舌苔を十分に掻き取ることができないという問題点が発生した。また、該ブラシ部はブラシ保持部に冠着する構造のため製造は容易であるものの、該容易性を維持しつつ更なるコストダウンが求められていた。【０００６】  本考案は、以上のような問題点や要求を解決するために成されたものであり、舌に圧迫感や掻爬感を残すことなく安全且つ十分に舌苔を掻き取って除去することができると共に、容易且つ安価に製造することができる舌苔除去具を提供することを目的とする。
【課題を解決するための手段】
【０００７】  上記問題点を解決するため本考案の舌苔除去具においては、舌の表面と当接して舌苔を掻き取るための円錐形突起と円筒形突起を一定の割合で配列して形成したブラシ部と、該ブラシ部を挿着すべく円形状の溝を形成したブラシ保持部と当該ブラシ保持部の後端側にブラシ保持部を把持するための首部および柄部を一方向に形成し、更にブラシ保持部の先端側裏面にスキージ部を形成して構成する。【０００８】  また、上記ブラシ部はエラストマ樹脂にて形成し、他のブラシ保持部と首部と柄部およびスキージ部は適度な弾力性を有した軟質樹脂にて一体形成する。【０００９】  また、上記ブラシ部に形成した円錐形突起の直径は約１〜２ｍｍで長さは約３〜６ｍｍ程度とし、円筒形突起の直径は約２〜４ｍｍで長さは約３〜７ｍｍ程度とし、各円錐形突起および円筒形突起の間隔は約０．５〜１．５ｍｍ程度とする。
【考案の効果】
【００１０】  本考案の舌苔除去具を使用して舌の表面に付着している舌苔を除去するようにすれば、エラストマ樹脂製のブラシ部において円錐形突起の円錐部が滑らかに舌に当接し、円筒形突起の円筒角部が確実に舌に当接すると共に、当該舌苔除去具を構成するブラシ保持部と首部と柄部およびスキージ部が適度な弾力性を有した軟質樹脂にて一体形成されているため、舌に圧迫感や掻爬感を残すことなく安全且つ十分に舌苔を掻き取って除去することができるという絶大なる効果を奏する。また、舌苔除去具のブラシ保持部にブラシ部を挿着して使用する単純構造のため、容易且つ安価に製造することができるという効果を奏する。
【考案を実施するための最良の形態】
【００１１】  本考案を実施するための最良の形態を図を用いて説明する。図１は本考案の舌苔除去具の一実施例の外形図であり、（ａ）は正面図，（ｂ）は側面図，（ｃ）は（ａ）におけるＡ−Ａ断面図である。【００１２】  該図に示すように、本考案の舌苔除去具１は一般的な歯ブラシ形状と同様であり、舌の表面と当接して舌苔を掻き取るための円錐形突起５と円筒形突起６を一定の割合で配列して形成したブラシ部４と、該ブラシ部４を挿着すべく円形状の溝３を形成したブラシ保持部２と当該ブラシ保持部２の後端側にブラシ保持部２を把持するための首部７および柄部８を一方向に形成し、更にブラシ保持部２の先端側裏面にスキージ部９を形成して構成する。前記ブラシ部４の表面は（ｂ）および（ｃ）に示すように舌の表面と確実に当接すべく緩やかな円弧状の凸形状を成す。また、前記柄部８は把持し易いように適度な太さと形状を有し、首部７は弾力性を持たせるため柄部８より細く形成する。【００１３】  また、上記ブラシ部４はエラストマ樹脂にて形成し、他のブラシ保持部２と首部７と柄部８およびスキージ部９は適度な弾力性を有した軟質樹脂にて一体形成する。前記エラストマ樹脂としては、例えば合成ゴム，ポリイソブチレン，ポリエチレン，ポリエステルなどが好適であるが、特に限定するものではない。また、前記軟質樹脂としては、例えばポリプロピレンが好適であるが、これも特に限定するものではない。【００１４】  また、上記ブラシ部４に形成した円錐形突起５の直径は約１〜２ｍｍで長さは約３〜６ｍｍ程度とし、円筒形突起６の直径は約２〜４ｍｍで長さは約３〜７ｍｍ程度とし、各円錐形突起５および円筒形突起６の間隔は約０．５〜１．５ｍｍ程度とする。なお、前記円錐形突起５および円筒形突起６の配列形状は（ａ）に示すように縦横を整列させた方眼状のほか、同心円状や渦巻き状など任意で構わない。また、ブラシ部４に形成する円錐形突起５と円筒形突起６の割合は、円錐形突起５を０〜３０％（すなわち円筒形突起６が１００〜７０％）程度とするのが好ましい。【００１５】  図２は本考案の舌苔除去具のブラシ保持部における他形状の外形図であり、（ａ）は円形状、（ｂ）は繭型形状を示している。本考案の舌苔除去具１のブラシ保持部２の形状は、図１の楕円形状のほか、このような円形状や繭型形状などであっても構わない。【００１６】  図３は本考案の舌苔除去具の第一使用例図であり、本考案の舌苔除去具１を使用する場合、柄部８を把持してブラシ部４の円錐形突起５および円筒形突起６の全面を舌１０の表面に当てて前後左右に動かす。このとき、前記円錐形突起５の円錐部が滑らかに舌１０に当接し、前記円筒形突起６の円筒角部が確実に舌１０に当接するため、舌１０に圧迫感や掻爬感を残すことなく舌１０の表面に付着している舌苔を確実に掻き取ることができる。【００１７】  次に、図４は本考案の舌苔除去具の第二使用例図であり、上記のようにして掻き取った舌苔を集め取る場合、舌苔除去具１を裏返してブラシ保持部２の裏面先端部に形成されたスキージ部９を舌１０の表面に当てて舌先に動かすことにより、舌１０の先端側に掻き取った舌苔を集め取ることができる。なお、舌１０の奥などブラシ部４の当て難いところ���舌苔を掻き取る場合、前記スキージ部９にて掻き取るようにしても構わない。【００１８】  また、図５は本考案の舌苔除去具のブラシ保持部にブラシ部を挿着するときの状態図であり、使用時において図中矢印のようにブラシ保持部２の溝３にブラシ部４を挿着する。このとき、該ブラシ部４の円錐形突起５，５が舌苔除去具１の長手方向に対して直角になるようにする。なお、ブラシ部４を溝３内に固着せずに着脱自在とすれば、該ブラシ部４の洗浄や交換が容易に行える。
【図面の簡単な説明】
【００１９】
【図１】本考案の舌苔除去具の一実施例の外形図である。
【図２】本考案の舌苔除去具のブラシ保持部における他形状の外形図である。
【図３】本考案の舌苔除去具の第一使用例図である。
【図４】本考案の舌苔除去具の第二使用例図である。
【図５】本考案の舌苔除去具のブラシ保持部にブラシ部を挿着するときの状態図である。
【符号の説明】
【００２０】  １  舌苔除去具
２  ブラシ保持部
３  溝
４  ブラシ部
５  円錐形突起
６  円筒形突起
７  首部
８  柄部
９  スキージ部
１０  舌
【図１】
0003164878.tif 000003
【図２】
0003164878.tif 000004
【図３】
0003164878.tif 000005
【図４】
0003164878.tif 000006
【図５】
0003164878.tif 000007